(57)【特許請求の範囲】
【請求項１】
展示場に延設されたガスの送圧管に複数の分岐管が接続され、各分岐管には展示場のブースに設置されたガス器具がそれぞれ接続され、前記ガス送圧管にガスの使用量を計測するガスメーターが取り付けられた展示場のガス供給管理システムであって、
前記ガスメーターには、
ガス使用量を計測する計測手段を備えた計測部と、
ガス使用量の遮断制限値を設定する設定部と、
前記ガスメーターにガス使用量の計測値に応じた電気信号を出力する信号変換部と、
該信号変換部からの電気信号を受けて現在のガス使用量と設定部に設定されている遮断制限値とを比較し、ガス使用量が遮断制限値になったときにガスの流通を制御する制御部とが設けられ、
前記信号変換部はパーソナルコンピュータと接続され、前記ガス器具でガスの使用が開始された後、前記パーソナルコンピュータが信号変換部からの電気信号を受けて、刻々の前記ガス使用量が予め安全性を確保して設定した所定値に達したとき、前記パーソナルコンピュータからガスの使用抑制を促すアラーム信号を前記展示場および各ブースの管理者が所持した携帯通信機に送信させる情報処理装置を備えたことを特徴とする展示場のガス供給管理システム。
【請求項２】
前記情報処理装置が、インターネットを介して前記携帯通信機の電子メールのアドレスに前記アラーム信号を送信させることを特徴とする請求項１に記載の展示場のガス供給管理システム。
【発明の詳細な説明】
【０００１】
【発明の属する技術分野】
本発明は、展示場の各ブースに設置されたガス器具にガスを供給するガス供給管理システムに関するものである。
【０００２】
【従来の技術】
新開発した飲食品を関係者に披露したり、調理法を紹介するような場合、あるいは熱処理に必要とされる用具の展示を行う場合において、展示場で実際に食品を調理して来場者に提供したり、用具の使用方法を実演したりするイベントが広く行われている。
この調理等のイベントでは、展示場を複数に区画したブースにガス器具をそれぞれ設置し、分岐管を介してガスの送圧管に接続することにより、都市ガスまたはＬＰガスの供給を受けるようにしている。
この展示場は、一定期間のみガスを使用するので、前記ガス送圧管に１個のガスメーターを取り付け、各ガス器具に供給するガスの流量を計測してガス器具全体の使用量を把握し、各ブースの管理者がガス代を按分するようにしていた。
【０００３】
ところで、このような展示場は、火災発生源でもあるガス器具を使用するため、消防法に定められた承認を受ける必要がある。
従来は、各ガス器具の銘板に明示された発熱量を単純に合計した総発熱量によって、承認を受けるための計算をおこなっていたため、実際の総使用量とははるかにかけ離れた大きな値となり、実際の総使用量であれば十分承認を受けられる場合であっても承認が得られず、やむなく、低い発熱量のガス器具を使用することによって対応せざるを得なかった。このため、せっかくの展示であるのに十分な実演ができないことが多かった。
発明者において検証したところ、展示場における個々のガス器具についてみると、常に最大値の発熱量によって使用していることは皆無であり、しかも、各ブースのガス器具が全部同時に使用されることもないのが実情であって、実際の総発熱量は単純合計による総発熱量の３〜４割を上限としていることがわかった。
【０００４】
【発明が解決しようとする課題】
本発明は、上記の点に鑑みてなされたもので、展示場に設置されるガス器具への実際の総供給量が、消防法に規定された値以下であることを満たすとともに、規定値を越えるおそれのある場合に速やかにガスの使用量を減らして危険を回避するとともに、各イベントでのガス使用を突然に中止する事態のないシステムを提供せんとするものである。
【０００５】
【課題を解決するための手段】
上記目的を達成するため、本発明のうち請求項１に記載の発明は、展示場に延設されたガスの送圧管に複数の分岐管が接続され、各分岐管には展示場のブースに設置されたガス器具がそれぞれ接続され、前記ガス送圧管にガスの使用量を計測するガスメーターが取り付けられた展示場のガス供給管理システムであって、前記ガスメーターには、ガス使用量を計測する計測手段を備えた計測部と、ガス使用量の遮断制限値を設定する設定部と、前記ガスメーターにガス使用量の計測値に応じた電気信号を出力する信号変換部と、該信号変換部からの電気信号を受けて現在のガス使用量と設定部に設定されている遮断制限値とを比較し、ガス使用量が遮断制限値になったときにガスの流通を制御する制御部とが設けられ、前記信号変換部はパーソナルコンピュータと接続され、前記ガス器具でガスの使用が開始された後、前記パーソナルコンピュータが信号変換部からの電気信号を受けて、刻々の前記ガス使用量が予め安全性を確保して設定した所定値に達したとき、前記パーソナルコンピュータからガスの使用抑制を促すアラーム信号を前記展示場および各ブースの管理者が所持した携帯通信機に送信させる情報処理装置を備えたことを特徴としている。また、請求項２に記載の発明は、前記情報処理装置が、インターネットを介して前記携帯通信機の電子メールのアドレスに前記アラーム信号を送信させることを特徴としている。
【０００６】
【発明の実施の形態】
以下、本発明の実施の形態について、図示例を参照しながら説明する。
図１は、本発明の実施の形態に係る展示場のガス供給管理システムを示す概要説明図である。
この展示場のガス供給管理システムは、展示場１に都市ガスあるいはプロパンガス等のガス送圧管５を引き込み、マイコンメーター６やガス管７，８を介して各ブース２に設置のガス器具４にガスを供給する構成になっている。
この展示場１は、新開発した各種の飲食品を関係者に披露したり、調理法を紹介し来場者に調理食品を提供するイベント会場であって、複数に区画されたブース２に食品調理用のガス器具４を配置している。
これらガス器具４は、ガスチューブおよび分岐管８を介し展示場１の外側壁２ａに延設された主ガス管７にそれぞれ接続されている。
なお、この展示場１は、出入口に近いブース２の１つを管理事務所に用いている。３は飲食品の展示専用ブースである。
【０００７】
前記マイコンメーター６は、流入側が開閉弁６ａを介して埋設ガス管５に、流出側が開閉弁６ｂを介して主ガス管７にそれぞれ接続されている。
また、このマイコンメーター６は、図示省略しているが、ガスの使用量を計測する計測手段を備えた計測部、使用量を表示する表示手段であるメーター、ガス使用量の制限値を設定する設定部、流通ガスを自動遮断する遮断弁、ガス使用量の計測値を電気信号に変換する信号変換部および制御部を備えている。
この制御部は、信号変換部からの電気信号を受けて現在のガス流量と設定部に設定されている遮断制限値とを比較し、この遮断設定値になったとき遮断弁を制御して主ガス管７の流通ガスを自動遮断する構成になっている。
なお、この遮断設定値は、消防法の除外適用として承認され、ガス器具４側で火災発生のおそれがなく安全性も確保され得る供給量を基準にしており、ガス供給元で予め入力設定されている。
【０００８】
また、マイコンメーター６の信号変換部には、電気信号をディジタル信号に変換するアダプタ９を介して有線若しくは無線回線でパーソナルコンピュータ（パソコン）１０が接続されている。
このパソコン１０は、管理事務所に設置されており、接続端子１１および電話回線を介してインターネットに接続されている。
これにより、ガス器具４にてガスの使用が開始されると、計測部が使用量を計測してメーターに表示させるとともに、信号変換部がアダプタ９側にアナログの電気信号を伝送する。よって、パソコン１０側には、刻々のガス使用量がディジタル信号で入力する。
【０００９】
このパソコン１０は、本体、ＣＲＴ、キーボードおよびマウス等を備えた普及型であり、管理者側が入力操作して、予め入力設定操作を行うことで管理事務所のパーソナルコンピュータに警告を表示すると同時にインターネットを介し図２に示す携帯電話機１４側にアラーム信号を送信するようにしている。
このアラーム信号は、展示場１および各ブース２の管理者が所持したポケットベルあるいは携帯電話機１４にガスの使用抑制を促す警告信号であり、前記マイコンメーター６の設定部に入力設定される遮断設定値に基づいて出力値が決定される。
本例では、アダプタ９側から送出されてくるガス使用値が、遮断設定値の８０％に達した時点でアラーム信号を出力するように入力設定する。
これにより、マイコンメーター６の制御部が、遮断弁を制御して主ガス管７の流通ガスを自動遮断する前に携帯電話機１４側へアラーム信号を送信可能である。
なお、アラーム信号としては、携帯電話機１４で特定のベル音を放音させた後、「すぐにガスの使用量を半分にして下さい。」といったメッセージを表示させるのが好ましい。
【００１０】
この携帯電話機１４は、普及型のインターネットサービス（ｉモードなど）を受信可能な携帯電話機１４等であって、図２に示すように、バケット網やＰＤＣ網を介しインターネットサービスセンター１３と無線回線により接続される。
このインターネットサービスセンター１３は、電話局が運営する中継局であり、インターネット１２を介し前記携帯電話機１４やパソコン１０およびその他のパソコン等を相互に接続するようになっている。
この携帯電話機１４は、通常の電話機能の他に、インターネットサービスによる通信機能を備えており、電子メールを送受信することができる。
よって、この携帯電話機１４の所持者は、パソコン１０から送信されてくるアラーム信号を受信してベル音を放音させるとともに、前記ショートメッセージを表示可能である。
【００１１】
しかして、この展示場１でイベントを開催するに際しては、展示場１の管理者およびガス器具４を設置した各ブース２の管理者に、携帯電話機１４をそれぞれ所持させる。そして、マイコンメーター６の各開閉弁６ａ，６ｂを開弁すると、各ガス器具４に都市ガスが供給されて、ガス燃焼により食品調理の実演を始めることができる。このとき、マイコンメーター６でガス使用量が計測され、そのメーターに現在のガス使用量が表示されるとともに、信号変換部から電気信号が出力されるので、刻々のガス使用量がディジタル信号でパソコン１０側に送出される。このパソコン１０は、アダプタ９側から送出されてくるガス使用値を予め入力された所定値と比較し、このガス使用値が所定値に達したか否かを比較する。そして、ガス使用値が前記遮断設定値の例えば８０％である所定値に達した時点でアラーム信号を出力する。
【００１２】
すると、このアラーム信号がインターネット１２を介して携帯電話機１４側へ送信される。よって、携帯電話機１４を所持した全ての管理者は、ベル音を聞いてアラーム信号の着信に気づき、電子メールの表示操作を行うことになる。
そして、携帯電話機１４の表示画面を見ると、例えば「すぐにガスの使用量を半分にして下さい。」という警告用のメッセージを読み取れるので、各自がガス器具４のコックを操作しガスの使用量を迅速に減少させることができる。
これにより、マイコンメーター６の制御部が、遮断弁を制御して主ガス管７の流通ガスを自動遮断する前にガスの使用量を低減し得るから、実演を停止させることなく続行できる。
なお、アラーム信号としては、ガスの使用量を２／３や１／３に減じるよう促すメッセージを表示させることにしてもよい。
また、上記実施の形態では、展示場１に都市ガスを引き込む場合について説明したが、展示場１の近傍にＬＰＧ収納室を設置し、この収納室よりＬＰＧをガス器具４側に供給するようにしてもよい。
【００１３】
【発明の効果】
以上説明したように、本発明のうち請求項１に記載の発明は、ガスメーターに設けた信号変換部からの電気信号を受けてガス使用量が予め設定した所定値に達するとき、ガスの使用抑制を促すアラーム信号を展示場および各ブースの管理者が所持した携帯通信機に送信させるので、ガスメーターが流通ガスを自動遮断する前にガスの使用量を低減し得るから、安全性を確保しつつガスを使用し実演イベント等を続行できる効果がある。しかも、各ブース毎に使用量測定装置を設置するのに比べて安価に実施することができる。また、請求項２に記載の発明は、情報処理装置がインターネットを介して携帯通信機の電子メールのアドレスにアラーム信号を送信させるから、携帯通信機の所持者がアラーム信号の受信内容に従って正確かつ迅速な処置を行える利点がある。
【図面の簡単な説明】
【図１】本発明の実施の形態に係る展示場のガス供給管理システムを示す概要説明図である。
【図２】同展示場のガス供給管理システムの電気的構成を示す概要説明図である。
【符号の説明】
１  展示場
２  ブース
４  ガス器具
６  ガスメーター
７  ガス送圧管
８  分岐管
９  信号変換部
１０  情報処理装置
１１  接続端子
１２  インターネット
１３  インターネットサービスセンター
１４  携帯電話機
【図１】
0004817275.tif 000002
【図２】
0004817275.tif 000003